(57)【特許請求の範囲】
【請求項１】
天井に形成された点検口を塞ぐ閉扉位置と前記天井から下方に延びて前記点検口が開く開扉位置との間で変位する点検扉が前記閉扉位置にある場合に前記点検扉を上方から覆う点検扉カバー装置であって、
変形することによって、前記点検扉を上方から覆う張出位置と前記点検扉の上面が露出する収納位置との間で変位するシートと、
前記点検扉の変位に連動して前記シートを変位させる変位装置と
を備えたことを特徴とする点検扉カバー装置。
【請求項２】
天井に形成された点検口を塞ぐ閉扉位置と前記天井から下方に延びて前記点検口が開く開扉位置との間で変位する点検扉が前記閉扉位置にある場合に前記点検扉を上方から覆う点検扉カバー装置であって、
変形することによって、前記点検扉を上方から覆う張出位置と前記点検扉の上面が露出する収納位置との間で変位するシートと、
前記シートが巻かれるローラと
を備え、
前記シートは、前記ローラに巻き取られることによって前記張出位置から前記収納位置に変位し、前記ローラから送り出されることによって前記収納位置から前記張出位置に変位することを特徴とする点検扉カバー装置。
【請求項３】
前記シートが巻かれるローラをさらに備え、
前記シートは、前記ローラに巻き取られることによって前記張出位置から前記収納位置に変位し、前記ローラから送り出されることによって前記収納位置から前記張出位置に変位することを特徴とする請求項１に記載の点検扉カバー装置。
【請求項４】
前記ローラに隣り合うように設けられた異物入箱をさらに備え、
前記異物入箱には、前記シートが前記張出位置から前記収納位置に変位することによって、前記シートの上面に載った異物が内部に入れられることを特徴とする請求項２または請求項３に記載の点検扉カバー装置。
【請求項５】
前記シートは、折りたたまれることによって、前記張出位置から前記収納位置に変位することを特徴とする請求項１に記載の点検扉カバー装置。
【請求項６】
前記シートは、伸縮することによって、前記張出位置と前記収納位置との間で変位することを特徴とする請求項１に記載の点検扉カバー装置。
【発明の詳細な説明】
【技術分野】
【０００１】
この発明は、天井に形成された点検口を塞ぐ点検扉を上方から覆う点検扉カバー装置に関する。
【背景技術】
【０００２】
従来、回動することによって、天井に形成された点検口を塞ぐ閉扉位置と天井から下方に延びて点検口が開く開扉位置との間で変位する点検扉が知られている（例えば、特許文献１参照）。
【先行技術文献】
【特許文献】
【０００３】
【特許文献１】特開２００９−４１３０４号公報
【発明の概要】
【発明が解決しようとする課題】
【０００４】
しかしながら、点検扉の位置が長期間に渡って閉扉位置である場合には、点検扉の上面には、ほこり等の異物がたまる。この状態で、点検扉を閉扉位置から開扉位置に変位させると、点検扉の上面にたまった異物が、点検口を通って部屋の床に落下してしまい、部屋の床が汚れてしまうという問題点があった。
【０００５】
この発明は、点検扉の上面に異物がたまることを抑制することができる点検扉カバー装置を提供するものである。
【課題を解決するための手段】
【０００６】
この発明に係る点検扉カバー装置は、天井に形成された点検口を塞ぐ閉扉位置と天井から下方に延びて点検口が開く開扉位置との間で変位する点検扉が閉扉位置にある場合に点検扉を上方から覆う点検扉カバー装置であって、変形することによって、点検扉を上方から覆う張出位置と点検扉の上面が露出する収納位置との間で変位するシートと、点検扉の変位に連動してシートを変位させる変位装置とを備えている。
【発明の効果】
【０００７】
この発明に係る点検扉カバー装置によれば、変形することによって、点検扉を上方から覆う張出位置と点検扉の上面が露出する収納位置との間で変位するシートを備えているので、点検扉の位置が長期間に渡って閉扉位置である場合であっても、点検扉の上面に異物がたまることを抑制することができる。
【図面の簡単な説明】
【０００８】
【図１】この発明の実施の形態１に係る点検扉カバー装置を示す側面図である。
【図２】図１の点検扉カバー装置を示す平面図である。
【図３】図１の点検扉カバー装置の他の状態を示す側面図である。
【図４】図３の点検扉カバー装置を示す平面図である。
【図５】この発明の実施の形態２に係る点検扉カバー装置を示す側面図である。
【図６】図５の点検扉カバー装置の他の状態を示す側面図である。
【図７】この発明の実施の形態３に係る点検扉カバー装置を示す側面図である。
【図８】図７の点検扉カバー装置の他の状態を示す側面図である。
【発明を実施するための形態】
【０００９】
実施の形態１．
図１はこの発明の実施の形態１に係る点検扉カバー装置を示す側面図、図２は図１の点検扉カバー装置を示す平面図、図３は図１の点検扉カバー装置の他の状態を示す側面図、図４は図３の点検扉カバー装置を示す平面図である。図において、部屋の天井１には、作業者が室内から天井１裏に入るための点検口１１が形成されている。また、天井１には、点検扉２が回動可能に設けられている。点検扉２は、天井１に沿って延びた回動軸３を中心に回動することによって、点検口１１を塞ぐ閉扉位置と点検口１１が開く開扉位置との間で変位する。点検扉２は、点検扉２の位置が閉扉位置である場合に、天井１と同一平面上に配置される。一方、点検扉２は、点検扉２の位置が開扉位置である場合に、天井１から下方に延びるように配置される。
【００１０】
点検扉カバー装置４Ａは、点検扉２の位置が閉扉位置である場合に点検扉２の上面を覆うように天井１の上面に配置されている。点検扉カバー装置４Ａは、点検扉２を上方から覆う張出位置と点検扉２の上面が露出する収納位置との間で変形することによって変位するシート４０１と、シート４０１が巻かれるローラ４０２と、ローラ４０２を回転可能に支持する一対のローラ支持部材４０３と、シート４０１の位置が張出位置である場合にシート４０１の先端部を支持するシート支持部材４０４と、ローラ４０２に隣り合うように天井１に設けられた異物入箱４０５とを備えている。シート４０１の先端部とは、シート４０１におけるローラ４０２から最も離れた部分である。
【００１１】
シート４０１は、ローラ４０２に巻き取られることによって張出位置から収納位置に変位し、ローラ４０２から送り出されることによって収納位置から張出位置に変位する。シート４０１は、シート４０１の位置が張出位置である場合に、点検口１１の面積よりも大きい面積となっている。また、シート４０１は、シート４０１の位置が張出位置である場合に、点検口１１の全領域を覆うように配置されている。したがって、シート４０１は、シート４０１の位置が張出位置である場合に、点検扉２の上面の全領域を覆う。これにより、シート４０１の位置が張出位置である場合に、点検扉２の上面に異物５がたまることが抑制される。
【００１２】
ローラ４０２は、ローラ４０２の軸線が回動軸３の軸線と同じ方向を向くように配置されている。なお、ローラ４０２は、ローラ４０２の軸線が回動軸３の軸線と異なる方向を向くように配置されてもよい。
【００１３】
一対のローラ支持部材４０３は、天井１の上面に立てられている。一対のローラ支持部材は、図示しない軸受を有しており、軸受を用いてローラ４０２の両端部を回転可能に支持している。また、一対のローラ支持部材４０３は、シート４０１の位置が張出位置から収納位置に変位するようにローラ４０２を付勢するばね（図示せず）を有している。したがって、ローラ支持部材４０３のばねの付勢力に逆らってシート４０１を収納位置から張出位置に向かって引っ張ることによってシート４０１が収納位置から張出位置に変位し、シート４０１への引張力を解除することによって、シート４０１が張出位置から収納位置に変位する。
【００１４】
シート支持部材４０４は、天井１の上面に立てられている。シート支持部材４０４は、張出位置にあるシート４０１の先端部と係合するようになっている。シート支持部材４０４とシート４０１との係合が解除されることによって、シート４０１が張出位置から収納位置に変位可能となる。
【００１５】
異物入箱４０５は、シート４０１におけるローラ４０２に巻かれている部分に隣り合うように配置されている。異物５が載ったシート４０１の部分がローラ４０２に到達すると、シート４０１における異物５が載った部分がローラ４０２に巻かれることによって、異物５がシート４０１から落下して、異物５が異物入箱４０５の内部に入れられる。
【００１６】
次に、点検口１１を開けて天井１裏での作業を行う手順について説明する。まず、作業者は、点検扉２を閉扉位置から開扉位置に変位させる（開扉工程）。その後、作業者は、シート４０１を張出位置から収納位置に変位させる（収納工程）。収納工程では、シート４０１が張出位置から収納位置に変位する方向にローラ４０２が付勢されているので、シート４０１の先端部をシート支持部材４０４から切り離すことによって、シート４０１がローラ４０２に巻き取られる。なお、ローラ支持部材４０３がばねを有さずローラ４０２が付勢されていない場合には、収納工程では、作業者は、ローラ４０２を回転させて、シート４０１をローラ４０２に巻き取らせる。
【００１７】
シート４０１の張出位置から収納位置への変位に連動して、シート４０１の上面に載った異物５が異物入箱４０５の内部に入れられる。
【００１８】
天井１裏での作業が終了すると、作業者は、シート４０１を収納位置から張出位置に変位させる（張出工程）。その後、作業者は、点検扉２を開扉位置から閉扉位置に変位させる（閉扉工程）。以上により、点検口１１を開けて天井１裏での作業を行う手順が終了する。
【００１９】
以上説明したように、この発明の実施の形態１に係る点検扉カバー装置４Ａによれば、変形することによって、点検扉２を上方から覆う張出位置と点検扉２の上面が露出する収納位置との間で変位するシート４０１を備えているので、点検扉２の位置が長期間に渡って閉扉位置である場合であっても、点検扉２の上面に異物５がたまることを抑制することができる。
【００２０】
また、点検扉カバー装置４Ａは、シート４０１が巻かれるローラ４０２を備え、シート４０１は、ローラ４０２に巻き取られることによって張出位置から収納位置に変位し、ローラ４０２から送り出されることによって収納位置から張出位置に変位するので、ローラ４０２を回転させることによって、ローラ４０２にシート４０１を巻き取らせてシート４０１を張出位置から収納位置に変位させたり、ローラ４０２からシート４０１を送り出させてシート４０１を収納位置から張出位置に変位させたりすることができる。これにより、シート４０１を張出位置と収納位置との間で容易に変位させることができる。
【００２１】
また、点検扉カバー装置４Ａは、シート４０１に隣り合うように設けられた異物入箱４０５をさらに備え、異物入箱４０５には、シート４０１の張出位置から収納位置への変位に連動して、シート４０１の上面に載った異物５が内部に入れられるので、シート４０１を張出位置から収納位置に変位させることによって、シート４０１の上面を清掃することができる。
【００２２】
なお、上記実施の形態１では、ローラ４０２に巻き取られることによって張出位置から収納位置に変位し、ローラ４０２から送り出されることによって収納位置から張出位置に変位するシート４０１の構成について説明したが、例えば、カーテンのように、折りたたまれることによって、張出位置から収納位置に変位するシート４０１の構成であってもよい。この場合、シート４０１が巻かれるローラ４０２が不要となるので、点検扉カバー装置４Ａの構成をより簡単にすることができる。また、伸縮することによってシート４０１が張出位置と収納位置との間で変位する構成であってもよい。
【００２３】
また、上記実施の形態１では、ローラ４０２に巻き取られることによって張出位置から収納位置に変位するシート４０１の構成について説明したが、ローラ４０２からシート支持部材４０４に向かって突出する部分を切り離すことによって、張出位置から収納位置に変位するシート４０１の構成であってもよい。この場合、シート４０１におけるローラ４０２に巻かれている部分を新たにローラ４０２から送り出して、シート４０１を収納位置から張出位置に変位させる。これにより、シート４０１を収納位置から張出位置に変位させるたびに、点検扉２の上面を覆うシート４０１の部分を新しくすることができる。
【００２４】
実施の形態２．
図５はこの発明の実施の形態２に係る点検扉カバー装置を示す側面図、図６は図５の点検扉カバー装置の他の状態を示す側面図である。点検扉カバー装置４Ｂは、点検扉２の変位に連動してシート４０１を変位させる変位装置４０６をさらに備えている。
【００２５】
変位装置４０６は、ローラ４０２と一体に形成された同軸ローラ４０７と、基端部が同軸ローラ４０７に巻かれ、先端部が点検扉２に接続された紐部４０８と、天井１に設けられ、紐部４０８が巻き掛けられたそらせローラ４０９とを有している。図５および図６では、一対のローラ支持部材４０３の中の手前側のローラ支持部材４０３を省略して示している。
【００２６】
同軸ローラ４０７は、同軸ローラ４０７の軸線がローラ４０２の軸線と同一直線上に配置されるように配置されている。同軸ローラ４０７は、ローラ４０２が回転することによって、ローラ４０２の回転方向と同一の方向に回転する。
【００２７】
紐部４０８は、同軸ローラ４０７が回転することによって、同軸ローラ４０７に巻き取られたり、同軸ローラ４０７から送り出されたりするようになっている。具体的には、紐部４０８は、シート４０１がローラ４０２に巻き取られる方向にローラ４０２が回転する場合に同軸ローラ４０７から送り出され、シート４０１がローラ４０２から送り出される方向にローラ４０２が回転する場合に同軸ローラ４０７に巻き取られる。
【００２８】
紐部４０８の先端部は、点検扉２における先端部に接続されている。点検扉２における先端部とは、点検扉２における回動軸３から最も離れた部分であり、点検扉２の位置が開扉位置である場合に下端部となる部分である。
【００２９】
ローラ支持部材４０３のばねの付勢力の大きさは、点検扉２を閉扉位置から開扉位置に容易に変位させることができ、かつ、点検扉２を開扉位置から閉扉位置に変位させる場合に同軸ローラ４０７が紐部４０８を巻き取ることができる程度の大きさとなっている。つまり、ローラ支持部材４０３のばねの付勢力の大きさは、点検扉２を閉扉位置と開扉位置との間で容易に変位させることができる大きさであり、かつ、点検扉２の閉扉位置と開扉位置との間の変位に連動して、シート４０１が張出位置と収納位置との間で変位できる程度の大きさとなっている。
【００３０】
次に、点検口１１を開けて天井１裏での作業を行う手順について説明する。まず、作業者は、点検扉２を閉扉位置から開扉位置に変位させる（開扉工程）。点検扉２が閉扉位置から開扉位置に変位すると、紐部４０８の先端部が下方に引っ張られる。これにより、紐部４０８が同軸ローラ４０７から送り出され、同軸ローラ４０７が回転する。この時の同軸ローラ４０７の回転方向は、紐部４０８が同軸ローラ４０７から送り出される方向であるので、ローラ４０２はシート４０１がローラ４０２に巻き取られる方向に回転する。その結果、シート４０１は、張出位置から収納位置に変位する（収納工程）。
【００３１】
シート４０１の張出位置から収納位置への変位に連動して、シート４０１の上面に載った異物５が異物入箱４０５の内部に入れられる。
【００３２】
天井１裏での作業が終了すると、作業者は、点検扉２を開扉位置から閉扉位置に変位させる（閉扉工程）。点検扉２が開扉位置から閉扉位置に変位すると、紐部４０８の下方への引張力が解消される。これにより、紐部４０８が同軸ローラ４０７に巻き取られ、同軸ローラ４０７が回転する。この時の同軸ローラ４０７の回転方向は、紐部４０８が同軸ローラ４０７に巻き取られる方向であるので、ローラ４０２は、シート４０１がローラ４０２から送り出される方向に回転する。その結果、シート４０１は、収納位置から張出位置に変位する（張出工程）。以上により、点検口１１を開けて天井１裏での作業を行う手順が終了する。
【００３３】
以上説明したように、この発明の実施の形態２に係る点検扉カバー装置４Ｂによれば、点検扉２の変位に連動してシート４０１を変位させる変位装置４０６をさらに備えているので、作業者が点検扉２を閉扉位置と開扉位置との間で変位させることによって、シート４０１を張出位置と収納位置との間で変位させることができる。これにより、天井１裏での作業効率を向上させることができる。
【００３４】
実施の形態３．
図７はこの発明の実施の形態３に係る点検扉カバー装置を示す側面図、図８は図７の点検扉カバー装置の他の状態を示す側面図である。点検扉カバー装置４Ｃは、折りたたみ可能なシート４１０と、シート４１０の一端部を支持するシート支持部材４１１と、シート４１０の他端部が接続された紐部４１２と、紐部４１２の一端部が巻かれた紐用ローラ４１３と、紐用ローラ４１３を回転可能に支持する一対のローラ支持部材４１４と、紐部４１２の他端部が巻かれた紐用ローラ４１５と、紐用ローラ４１５を回転可能に支持する一対のローラ支持部材４１６と、点検扉２の変位に連動してシート４１０を変位させる変位装置４１７とを備えている。
【００３５】
紐部４１２は、紐用ローラ４１３が回転することによって、紐用ローラ４１３に巻き取られたり、紐用ローラ４１３から送り出されたりするようになっている。また、紐部４１２は、紐用ローラ４１５が回転することによって、紐用ローラ４１５に巻き取られたり、紐用ローラ４１５から送り出されたりするようになっている。具体的には、紐部４１２は、紐用ローラ４１３から送り出される場合に紐用ローラ４１５に巻き取られ、紐用ローラ４１５から送り出される場合に紐用ローラ４１３に巻き取られる。
【００３６】
シート４１０は、シート４１０の他端部が紐部４１２に接続されているので、紐部４１２が紐用ローラ４１５に巻き取られたり、紐部４１２が紐用ローラ４１３に巻き取られたりすることによって、シート４１０の両端部が近づいたり、シート４１０の両端部が離れたりする。シート４１０は、シート４１０の両端部が近づくことによって折りたたまれる。この場合、シート４１０の位置は収納位置となる。一方、シート４１０は、シート４１０の両端部が離れることによって引き延ばされる。この場合、シート４１０の位置は張出位置となる。したがって、シート４１０は、紐部４１２が紐用ローラ４１５に巻き取られたり、紐部４１２が紐用ローラ４１３に巻き取られたりすることによって、張出位置と収納位置との間で変位する。具体的には、シート４１０は、紐部４１２が紐用ローラ４１５に巻き取られることによって収納位置から張出位置に変位し、紐部４１２が紐用ローラ４１３に巻き取られることによって張出位置から収納位置に変位する。
【００３７】
一対のローラ支持部材４１４は、天井１の上面に立てられている。一対のローラ支持部材４１４は、図示しない軸受を有しており、軸受を用いて紐用ローラ４１３の両端部を回転可能に支持している。図７および図８では、一対のローラ支持部材４１４の中の手前側のローラ支持部材４１４を省略して示している。
【００３８】
一対のローラ支持部材４１６は、天井１の上面に立てられている。一対のローラ支持部材４１６は、図示しない軸受を有しており、軸受を用いて紐用ローラ４１５の両端部を回転可能に支持している。図７および図８では、一対のローラ支持部材４１６の中の手前側のローラ支持部材４１６を省略して示している。また、一対のローラ支持部材４１６は、紐部４１２が紐用ローラ４１５に巻き取られる方向に紐用ローラ４１５を付勢するばね（図示せず）を有している。したがって、ローラ支持部材４１６のばねの付勢力に逆らってシート４１０が張出位置から収納位置に変位する方向に紐部４１２を引っ張ることによって、シート４１０が張出位置から収納位置に変位する。また、シート４１０が引張位置から収納位置に変位する方向についての紐部４１２への引張力を解除すると、ローラ支持部材４１６のばねの付勢力によって、シート４１０が収納位置から張出位置に変位する。
【００３９】
変位装置４１７は、紐用ローラ４１３と一体に形成された同軸ローラ４１８と、基端部が同軸ローラ４１８に巻かれ、先端部が点検扉２に接続された紐部４１９と、天井１に設けられ、紐部４１９が巻き掛けられたそらせローラ４２０とを有している。
【００４０】
同軸ローラ４１８は、同軸ローラ４１８の軸線が紐用ローラ４１３と同一直線上に配置されるように配置されている。同軸ローラ４１８は、紐用ローラ４１３が回転することによって、紐用ローラ４１３の回転方向と同一の方向に回転する。
【００４１】
紐部４１９は、同軸ローラ４１８が回転することによって、同軸ローラ４１８に巻き取られたり、同軸ローラ４１８から送り出されたりするようになっている。具体的には、紐部４１９は、紐部４１２が紐用ローラ４１３に巻き取られる方向に紐用ローラ４１３が回転する場合に同軸ローラ４１８から送り出され、紐部４１２が紐用ローラ４１３から送り出される方向に紐用ローラ４１３が回転する場合に同軸ローラ４１８に巻き取られる。紐部４１９の先端部は、点検扉２における先端部に接続されている。
【００４２】
ローラ支持部材４１６のばねの付勢力の大きさは、点検扉２を閉扉位置から開扉位置に容易に変位させることができ、かつ、点検扉２を開扉位置から閉扉位置に変位させる場合に同軸ローラ４１８が紐部４１９を巻き取ることができる程度の大きさとなっている。つまり、ローラ支持部材４１６のばねの付勢力の大きさは、点検扉２を閉扉位置と開扉位置との間で容易に変位させることができる大きさであり、かつ、点検扉２の閉扉位置と開扉位置との間の変位に連動して、シート４１０が張出位置と収納位置との間で変位できる程度の大きさとなっている。
【００４３】
シート４１０は、上面に粘着材が塗布された粘着シートとなっている。これにより、シート４１０の上面に載った異物５は、シート４１０に固定される。その他の構成は、実施の形態２と同様である。
【００４４】
次に、点検口１１を開けて天井１裏での作業を行う手順について説明する。まず、作業者は、点検扉２を閉扉位置から開扉位置に変位させる（開扉工程）。点検扉２が閉扉位置から開扉位置に変位すると、紐部４１９の先端部が下方に引っ張られる。これにより、紐部４１９が同軸ローラ４１８から送り出され、同軸ローラ４１８が回転する。この時の同軸ローラ４１８の回転方向は、紐部４１９が同軸ローラ４１８から送り出される方向であるので、紐用ローラ４１３は、紐部４１２が紐用ローラ４１３に巻き取られる方向に回転する。その結果、シート４１０は、張出位置から収納位置に変位する（収納工程）。
【００４５】
天井１裏での作業が終了すると、作業者は、点検扉２を開扉位置から閉扉位置に変位させる（閉扉工程）。点検扉２が開扉位置から閉扉位置に変位すると、紐部４１９の下方への引張力が解消される。これにより、紐部４１９が同軸ローラ４１８に巻き取られ、同軸ローラ４１８が回転する。この時の同軸ローラ４１８の回転方向は、紐部４１９が同軸ローラ４１８に巻き取られる方向であるので、紐用ローラ４１３は、紐部４１２が紐用ローラ４１３から送り出される方向に回転する。その結果、シート４１０は、収納位置から張出位置に変位する（張出工程）。以上により、点検口１１を開けて天井１裏での作業を行う手順が終了する。
【００４６】
以上説明したように、この発明の実施の形態３に係る点検扉カバー装置４Ｃによれば、シート４１０は、折りたたまれることによって、張出位置から収納位置に変位するので、シート４１０の上面に載った異物５は、シート４１０が張出位置から収納位置に変位することによって容易に集めることができる。
【００４７】
なお、上記実施の形態３では、折りたたまれることによってシート４１０が張出位置から収納位置に変位する構成について説明したが、伸縮することによってシート４１０が張出位置と収納位置との間で変位する構成であってもよい。
【００４８】
また、上記実施の形態３では、シート４１０が粘着シートである構成について説明したが、シート４１０は、粘着シートでなくてもよい。
【００４９】
また、各上記実施の形態では、点検扉２の上面には、何も配置されていない構成について説明したが、点検扉２の上面に粘着シートを設けてもよい。これにより、点検扉２を閉扉位置から開扉位置に変位する場合に、点検扉２の上面から異物５が室内の床に落下することをより確実に抑制することができる。また、点検扉２の上面に設けられる粘着シートは、複数枚が積層されたものであってもよい。これにより、複数枚の粘着シートの中で最も上部にある粘着シートをめくり取ることによって、新しい粘着シートを露出させることができ、より多くの異物５を付着させることができる。
【符号の説明】
【００５０】
１  天井、２  点検扉、３  回動軸、４Ａ、４Ｂ、４Ｃ  点検扉カバー装置、５  異物、１１  点検口、４０１  シート、４０２  ローラ、４０３  ローラ支持部材、４０４  シート支持部材、４０５  異物入箱、４０６  変位装置、４０７  同軸ローラ、４０８  紐部、４０９  そらせローラ、４１０  シート、４１１  シート支持部材、４１２  紐部、４１３  紐用ローラ、４１４  ローラ支持部材、４１５  紐用ローラ、４１６  ローラ支持部材、４１７  変位装置、４１８  同軸ローラ、４１９  紐部、４２０  そらせローラ。
【図１】
0006468965.tif 000002
【図２】
0006468965.tif 000003
【図３】
0006468965.tif 000004
【図４】
0006468965.tif 000005
【図５】
0006468965.tif 000006
【図６】
0006468965.tif 000007
【図７】
0006468965.tif 000008
【図８】
0006468965.tif 000009